(57)【要約】
【課題】記録媒体を外接でき、メモリを内蔵する必要がない、デジタル音声ファイル再生装置を得ることを目的とする。
【解決手段】ハウジングの内部に設けられた接続ポート１１と、音源出力ユニット１２と、処理ユニット１３と、からなるデジタル音声ファイル再生装置であって、前記接続ポート１１は音声ファイルを保存する記録媒体と外接するためのもので、前記処理ユニット１３は、その記録媒体の中から音声ファイルを取り出して一定の処理を行ってから、前記音源出力ユニット１２に出力する。これにより、メモリを内蔵しない設計として、既存の、例えば、メモリカード、フラッシュメモリデバイスなどのような記録媒体を持つ消費者の要求を満足させることができ、また、重複した無駄な費用を回避できるという効果を実現する。
【選択図】図1
0003101348.tif 000002
【実用新案登録請求の範囲】
【請求項１】
ハウジングと、
前記ハウジングの一方に設けられ、音声ファイルを記録する記録媒体に外接するための接続ポートと、
前記ハウジングの一方に設けられた音源出力ユニットと、
前記ハウジングの内部に設けられ、前記接続ポートおよび前記音源出力ユニットに接続し、前記記録媒体の中から前記音声ファイルを取り出し、さらに、一定の処理を行ってから前記音源出力ユニットへ出力する処理ユニットと、
を備えたことを特徴とする、デジタル音声ファイル再生装置。
【請求項２】
前記接続ポートがＵＳＢポートであることを特徴とする、請求項１に記載のデジタル音声ファイル再生装置。
【請求項３】
前記音源出力ユニットがイヤホンの挿入孔であることを特徴とする、請求項１に記載のデジタル音声ファイル再生装置。
【請求項４】
前記処理ユニットは少なくとも、コントローラと、デコーダと、デジタル／アナログ変換器と、アンプと、を有することを特徴とする、請求項１に記載のデジタル音声ファイル再生装置。
【請求項５】
さらに、前記ハウジングの外部に設けられ、前記処理ユニットに接続して再生を制御するための操作ユニットを備えたことを特徴とする、請求項１に記載のデジタル音声ファイル再生装置。
【請求項６】
前記操作ユニットが複数のボタンを有することを特徴とする、請求項５に記載のデジタル音声ファイル再生装置。
【請求項７】
前記操作ユニットが操作／再生状態を表示するためのディスプレイパネルを備えたことを特徴とする、請求項５または６に記載のデジタル音声ファイル再生装置。
【請求項８】
さらに、前記処理ユニットに接続して作業電源を供給するための電源供給ユニットを備えたことを特徴とする、請求項１に記載のデジタル音声ファイル再生装置。
【請求項９】
前記電源供給ユニットが電池であることを特徴とする、請求項８に記載のデジタル音声ファイル再生装置。
【請求項１０】
前記音声ファイルがＭＰ３（ＭＰＥＧ Ａｕｄｉｏ Ｌａｙｅｒ−３）形式であることを特徴とする、請求項１に記載のデジタル音声ファイル再生装置。
【請求項１１】
前記音声ファイルがＷＭＡ（Ｗｉｎｄｏｗｓ Ｍｅｄｉａ Ａｕｄｉｏ）形式であることを特徴とする、請求項１に記載のデジタル音声ファイル再生装置。
【考案の詳細な説明】
【技術分野】
【０００１】
本考案は、音声ファイルを再生する装置に関するものである。特に、メモリを内蔵しない、外部の記録媒体に外接するためのデジタル音声ファイル再生装置に関するものである。
【背景技術】
【０００２】
情報産業における急速な発展に伴い、デジタル時代を実現することも加速され、日常生活における情報機器もデジタル化に関連するようになってきた。音声信号のデジタル化の発展は必然であり、初期のＣＤ音質としてのＷＡＶから近年普及して来たＭＩＤＩ、ＭＰ３、ＷＭＡ等もデジタル音声ファイルの形式である。現在、ＭＰ３、ＷＭＡは、主流として広く応用されている。
【０００３】
ＭＰ３（ＭＰＥＧ Ａｕｄｉｏ Ｌａｙｅｒ−３）は、音声ファイルの圧縮形式であって、ＭＰ３の前身としてドイツの研究機関であるインスティチュット・インテルグリエルト・シャルツンゲン（Ｉｎｓｔｉｔｕｔ Ｉｎｔｅｒｇｒｉｅｒｔｅ Ｓｃｈａｌｔｕｎｇｅｎ、ＩＩＳ）が１９８７年にＥＵＲＥＫＡ ＥＵ１４７という音声のエンコードおよびデジタル音声の再生に関するプロジェクトを開始した。その後、このプロジェクトはＩＩＳとエルランゲン（Ｅｒｌａｎｇｅｎ）大学が共同提携して、強力なアルゴリズムを作り出し、ＩＳＯ （Ｉｎｔｅｒｎａｔｉｏｎａｌ Ｏｒｇａｎｉｚａｔｉｏｎ ｆｏｒ Ｓｔａｎｄａｒｄｉｚａｔｉｏｎ）の国際標準の認証を受けてから、現在のＭＰ３になった。
【０００４】
ＭＰ３において音声信号を圧縮する方法は、アルゴリズムにより音声から高周波と低周波の部分を除き、必要のない無駄な容量を大幅に減少させ、さらにデジタルの音声ファイルの値を少なくさせる。ＭＰ３は人間が感じる音声の部分を保留するので、聴いたときのＣＤ音質にあまり差がない。しかしながら、ファイルの圧縮比率については、一秒間のＣＤ音質に対しＷＡＶファイルが約１４１１．２ｋｂｉｔの格納容量が必要であるが、ＭＰ３形式における圧縮をした場合、一秒間のＭＰ３ファイルが１１２〜１２８ｋｂｉｔしか必要でなく、圧縮比率が１：１０〜１：１２程度である。
【０００５】
ウィンドウズ（Ｒ）・メディアオーディオ形式として、ＷＭＡ（Windows（Ｒ） Ｍｅｄｉａ Ａｕｄｉｏ）はＡＳＦ規格における音声の部分である。ＡＳＦ（Ａｄｖａｎｃｅｄ Ｓｔｒｅａｍｉｎｇ Ｆｉｌｅ Ｆｏｒｍａｔ）は、今まで使ってきたＡＶＩ映像・音声の形式の代りに、マイクロソフト社が最近開発した映像・音声規格であって、ネット上での転送容量を増加させることが可能になる。ＡＳＦは、同時に音声（ａｕｄｉｏ）と映像（ｖｉｄｅｏ）との二つの部分を持ち、ＷＭＡは、ＡＳＦにおける音声の部分に属する。ＷＭＡの拡張子の名称は「．ＷＭＡ」であって、主として三種類の圧縮形式があるが、その高級な圧縮規格での音質表現と圧縮は非常に優れており、しかもファイルサイズがＭＰ３より小さい（ただし、これは二種類の音楽形式の圧縮比率に関係がある）ので、今までのＭＰ３と対抗できる音楽圧縮ファイルの形式の一つである。
【０００６】
前記ＷＡＶ、ＭＩＤＩ、ＭＰ３、ＷＭＡなどのデジタル音声ファイルの形式は、近年、通常に用いられている形式であって、特に、ＭＰ３、ＷＭＡはファイルサイズが小さい、音質が良好である、という特徴を持つため、より普及され、さらに、ネットによって転送することが容易になるため、ネットでの流通も盛んになっている。
【考案の開示】
【考案が解決しようとする課題】
【０００７】
ＭＰ３、ＷＭＡファイルを入手するには、一般には、ネットから無料または有償でコンピュータの内部に設けられたハードディスクまたは例えば、フロッピー（Ｒ）ディスク、光ディスク、各タイプのメモリカード、ポケットビットなどの各種の記録媒体にダウンロードしてからそのコンピュータの内部に搭載された適当なソフトウエアにより解凍させて再生する。コンピュータを設けていない場合にそのようなファイルを再生させ聴くことができるようにするため、オーディオやレコーダプレーヤーにもそれらのファイル形式を再生する機能をサポートできるように設計した場合が少なくなく、さらに、再生専用のＭＰ３携帯型プレーヤーを開発し、所定の再生要求を満足させるようになった。
【０００８】
ＭＰ３携帯型プレーヤーは、内蔵されたフラッシュメモリにより、ＭＰ３のファイルを保存するものである。しかし、そのようなフラッシュメモリは高価で、さらに、プレーヤー全体の販売価格の半分に相当するので、一般のＭＰ３プレーヤーには高容量のフラッシュメモリが全体の販売価格を高くさせ、消費者の購入意欲に影響を及ぼす。このため、通常の場合には内蔵せず、拡張できないという問題が生じる。また、ＭＰ３のファイルはコンピュータによりその内蔵されたフラッシュメモリにダウンロードする必要があるため、ＭＰ３プレーヤーがコンピュータの操作と組み合わせしなければいけないという欠点があり、特に、ＭＰ３ファイルを更新する際には非常に面倒でなる。
【０００９】
また、既存の各タイプのメモリカードやフラッシュメモリデバイス（ポケットビットと称する場合がある、ＵＳＢ Ｆｌａｓｈ Ｄｉｓｋ）などの記録媒体を持つ消費者は、これらの記録媒体を使って大量のＭＰ３、ＷＭＡファイルを保存できる。しかし、ＭＰ３プレーヤーまたはコンピュータ以外の電子機器によって再生することができない。このため、使用する上で不便である。もし、その消費者が別途ＭＰ３プレーヤーを購入する場合、既存のメモリカード、フラッシュメモリデバイスなどの記録媒体を用いることができない他に、ＭＰ３プレーヤーがフラッシュメモリを内蔵していることが、販売価格を高くする主因であり、新しいメモリを購入することも、無駄な費用になる。このような欠点は無視できず、解決されることが期待される。
【課題を解決するための手段】
【００１０】
本考案の考案者は、前記の課題を解決するべく鋭意検討した結果、当該産業分野において蓄積された多年の経験を活用し、メモリを内蔵せず、外部からメモリカード、フラッシュメモリデバイスなどのような記録媒体に外接させるデジタル音声ファイル再生装置によって、従来のＭＰ３プレーヤーがコンピュータによりＭＰ３ファイルを更新しなければならず、面倒であることを解決し、既存の、例えば、メモリカード、フラッシュメモリデバイスなどの記録媒体を持つ消費者の要求を満足させ、資源の重複と無駄な費用を回避するという効果を実現できることを見出し、本考案をするに至った。
【００１１】
すなわち、本考案は、記録媒体を外接でき、メモリを内蔵する必要がない、デジタル音声ファイル再生装置を提供することを目的とする。
【００１２】
上記目的を達成するために、本考案のデジタル音声ファイル再生装置は、ハウジングと、前記ハウジングの一方に設けられた、音声ファイルを記録する記録媒体と外接するための接続ポートと、前記ハウジングの一方に設けられた音源出力ユニットと、前記ハウジングの内部に設けられ、前記接続ポートおよび前記音源出力ユニットに接続し、前記記録媒体の中から前記音源ファイルを取り出し、さらに、一定の処理を行ってから前記音源出力ユニットへ出力する処理ユニットと、を備えたことを特徴とする。
【００１３】
そのため、メモリを内蔵しない設計の場合でも、例えば、メモリカード、フラッシュメモリデバイスなどのような音声ファイルを保存する記録媒体により、従来のプレーヤーがコンピュータにより音声ファイルを更新する必要があるという面倒な点を解消でき、また、既存の、例えば、メモリカード、フラッシュメモリデバイスなどの記録媒体を持つ消費者の要求を満足させ、資源の重複と無駄な費用を回避できるという効果を達成する。
【００１４】
前記接続ポートはＵＳＢ（ＵＳＢ Ｐｏｒｔ、ユニバーサルシリアルバス）の形で設計することによって、例えば、フラッシュメモリデバイス（ＵＳＢ Ｆｌａｓｈ Ｄｉｓｋ）や、ＵＳＢ伝送ケーブルを有するカードリーダに挿接する各タイプのメモリカードなどの、同じインタフェースに挿入する記録媒体を提供できるようになる。また、再生されるデジタル音声ファイルはＭＰ３（ＭＰＥＧ Ａｕｄｉｏ Ｌａｙｅｒ−３）形式や、ＷＭＡ（Windows（Ｒ）Ｍｅｄｉａ Ａｕｄｉｏ）形式などでも良い。
【００１５】
また、当該デジタル音声ファイル再生装置は、さらに、再生を制御する操作ユニットを含み、さらに、作業電源を供給する電源供給ユニットを含んでいても良い。
【考案の効果】
【００１６】
本考案は、記録媒体を外接でき、メモリを内蔵する必要がない、デジタル音声ファイル再生装置を得ることができる。
【実施例】
【００１７】
以下、本考案の実施例を図面に基いて詳しく説明する。
【００１８】
図1は、本考案の実施例を例示する図である。図に示すように、本考案を実現するデジタル音声ファイル再生装置は、内部に接続ポート１１を設けたハウジング１と、音源出力ユニット１２と、処理ユニット１３と、操作ユニット１４と、電源供給ユニット１５と、からなる。
【００１９】
前記接続ポート１１はハウジング１の一方に設けられ、音声ファイルを保存する記録媒体、特に携帯式記録媒体、好ましくは、主として、フラッシュメモリ、例えば、フラッシュメモリデバイス２（ＵＳＢ Ｆｌａｓｈ Ｄｉｓｋ）や各タイプのメモリカード３１などの製品に挿接するため、ＵＳＢポート（ＵＳＢ Ｐｏｒｔ、ユニバーサルシリアルバス）の形で設計することができる。前記フラッシュメモリデバイス２には、直接に接続ポート１１に挿接するＵＳＢコネクタ２１が設けられている。メモリカード３１は、例えば、Ｍｕｌｔｉ ＭｅｄｉａＣａｒｄ （ＭＭＣ）、Ｃｏｍｐａｃｔ Ｆｌａｓｈ Ｃａｒｄ （ＣＦ Ｃａｒｄ）、Ｓｍａｒｔ Ｍｅｄｉａ（Ｒ） Ｃａｒｄである場合には、ＵＳＢ伝送ケーブル３２を有するカードリーダ３によって、接続ポート１１に接続される必要がある。
【００２０】
前記音源出力ユニット１２はハウジング１の一方に設けられ、イヤホン４またはスピーカ５と挿接するためのイヤホンの挿入孔であることがが好ましい。この実施例ではイヤホンの挿入孔である。ただし、音源出力ユニット１２をスピーカの形で設計すれば、即ち、ハウジング１の外部スピーカと組み合わされる場合、外接する必要がない。
【００２１】
処理ユニット１３はハウジング１の内部に設けられ、前記接続ポート１１および前記音源出力ユニット１２に接続して、例えばフラッシュメモリデバイス２、メモリカード３１などの記録媒体から音声ファイルを取り出し、さらに、一定の処理を行ってから前記音源出力ユニット１２へ出力する。
【００２２】
前記操作ユニット１４はハウジング１の外部に設けられ、前記処理ユニット１３に接続して、再生を制御するためのものである。
【００２３】
前記電源供給ユニット１５は、ハウジング１の外部に設けられ、前記処理ユニット１３に接続して、例えば乾電池や充電式電池などのような電池の形で設計することができ、再生装置全体が必要な電源を供給する。この実施例では電池の形であるが、電源供給ユニットは定電圧、整流回路でも良く、その場合、電源ケーブルと組み合わせて家庭用電源に接続されている。
【００２４】
前述したデジタル音声ファイル再生装置中の操作ユニット１４ （図２参照）は、ディスプレイパネル１４１と、複数の押しボタン１４２を含む。その複数の押しボタン１４２は、それぞれ異なる制御信号を処理ユニット１３に出力して、処理ユニット１３により、例えば、再生、再生停止、再生中止、前曲再生、次曲再生、再生順番編集、早戻し、早送り、ボリューム調整、電源オンオフなどの演算処理を行わせる。ディスプレイパネル１４１は、例えば、上述の演算機能の操作または再生状態を表示する。
【００２５】
前記処理ユニット１３ （図２参照）は、コントローラ１３１と、デコーダ１３２と、デジタル／アナログ変換器１３３と、アンプ１３４と、を備えている。
【００２６】
前記コントローラ１３１は、接続ポート１１、操作ユニット１４、およびデコーダ１３２に接続し、マイクロプロセッサまたは、例えば番号６５０２、８０５１などの１チップの形で設計することができ、さらに、読み出し専用メモリ（例えばＲＯＭ）を含む、音声ファイルの記録の入力／出力を制御し、また再生の制御／表示などに関連する制御プログラムまたはソフトウエアを格納して、さらに、例えばフラッシュメモリデバイス２や、メモリカード３１などのような記録媒体に格納された音声ファイルの取り出しおよび必要な管理と制御を行う。この実施例では例えばマイクロプロセッサを例として説明するが、本考案はこれに限られるものではないことはいうまでもない。前記コントローラ１３１は例えばマイクロコントローラ、ファームウェア（ｆｉｒｍｗａｒｅ）またはその他の適当な部品に変更しても良い。そのマイクロプロセッサ、マイクロコントローラ、ファームウェアに関する作用と原理は従来のものと同じなので、ここではその説明を省略する。
【００２７】
前記デコーダ１３２は、コントローラ１３１から出力する音声ファイルを解凍でき、それらの音声ファイルが例えばＭＰ３またはＷＭＡなどの形式であるので、このデコーダ１３２は、これに対応できる解凍機能を持つ必要がある。
【００２８】
前記デジタル／アナログ変換器１３３は、前記デコーダ１３２に接続して、デジタル信号を受け取って、アナログ信号に変換する。
【００２９】
前記アンプ１３４は、前記デジタル／アナログ変換器１３３と音源出力ユニット１２に接続して、アナログ信号を受け取って増幅してから音源出力ユニット１２に転送して出力する。
【００３０】
本考案におけるデジタル音声ファイル再生装置は、メモリ内蔵ではなく、外部の記録媒体に外接するようなものであるので、ユーザは接続ポート１１と同じインタフェースを有する記録媒体を選ぶことができ、例えばフラッシュメモリデバイス２、メモリカード３１などに、直接あるいは間接に、その接続ポート１１に挿接して、さらに、処理ユニット１３によってその記録媒体の中から音声ファイルを取り出し、また、必要な処理を行ってからイヤホン４またはスピーカ５へ音声を出力する。ユーザが操作ユニット１４の押しボタン１４２とディスプレイパネル１４１によって所望の再生を制御することができる。上述した操作と、処理ユニット１３の演算と、制御プロセスについては、所望の要求に応じて色々な変形があるが、それらの変形は本考案の特徴の範囲内に属しないか、または既に存在している技術の成熟な活用の範囲になるため、ここでは詳細な説明を省略する。
【００３１】
上述した構成によれば、本考案には次のような従来の技術を改善した点がある。
【００３２】
まず、本考案は、メモリを内蔵する必要がなくなるため、再生装置全体のコストを大幅に低下できる。
【００３３】
次に、例えばフラッシュメモリデバイスやメモリカード３１などのような、同じインタフェースを有する記録媒体に外接できるため、コンピュータによって音声ファイルをダウンロードする必要がなく、また、ファイルの更新はより高速、かつ便利に行うことができる。
【００３４】
また、既存の各タイプのメモリカード、フラッシュメモリデバイスなどの記録媒体を持つ消費者にとって、その記録媒体を十分に利用でき、かつその活用範囲も広げることができ、また重複してメモリを買う必要がないため、費用も節約できる。
【００３５】
さらに、メモリが外接の形を取るため、メモリ容量が拡大できないという、従来技術の欠点も解決できる。
【００３６】
上述のように、本考案のデジタル音声ファイル再生装置によれば、従来技術における、メモリを内蔵するため価額が高価になるという欠点を解消でき、産業上利用性と市場性が優れ、従来技術の欠点も解決できる。このため、本考案は新しく、産業上要求される高度な創作性を満たすので、新規性と進歩性を有するため、実用新案法のすべての要件を満たす。その故に、実用新案登録出願として出願する。
【００３７】
ただし、上記に開示された本考案の好ましい実施例は、あくまで例示であって、本考案の範囲はこれら考案の実施例に限定されない。本考案の範囲は、実用新案登録請求の範囲の記載によって示され、さらに、実用新案登録請求の範囲の記載と同等の意味および範囲内でのすべての変更を含むものである。
【図面の簡単な説明】
【００３８】
【図１】本考案の実施例を例示する図である。
【図２】本考案の実施例のブロック図である。
【符号の説明】
【００３９】
１：ハウジング
１１：接続ポート
１２：音源出力ユニット
１３：処理ユニット
１３１：コントローラ
１３２：デコーダ
１３３：デジタル／アナログ変換器
１３４：アンプ
１４：操作ユニット
１４１：ディスプレイパネル
１４２：押しボタン（ボタン）
１５：電源供給ユニット
２：フラッシュメモリデバイス（記録媒体）
３１：メモリカード（記録媒体）
４：イヤホン
【図１】
0003101348.tif 000003
【図２】
0003101348.tif 000004